(57)【要約】【課題】転写手段の状態を正確に判定すること。【解決手段】転写装置２００は、転写バイアスが印加された際に、感光ドラム１に形成されたトナー像をシート１６に転写させる転写ローラ５と、転写ローラ５の抵抗値に関する情報を検出する抵抗値検出部２３ａと、抵抗値検出部２３ａの検出結果と転写ローラ５の使用量の情報とに基づいて転写ローラ５の状態を判定する判定部２３ｂと、を有する。【選択図】図２
2019015897.tif 000002
【特許請求の範囲】
【請求項１】
転写バイアスが印加された際に、像担持体に形成された現像剤像をシートに転写させる転写手段と、
前記転写手段の抵抗値に関する情報を検出する抵抗値検出手段と、
前記抵抗値検出手段の検出結果と前記転写手段の使用量の情報とに基づいて前記転写手段の状態を判定する判定手段と、
を有することを特徴とする転写装置。
【請求項２】
前記判定手段は、
前記検出結果が第１の閾値より大きく且つ前記累積枚数が第２の閾値より大きい場合に前記状態として寿命であると判定する、
ことを特徴とする請求項１記載の転写装置。
【請求項３】
前記判定手段は、
前記検出結果が第１の閾値より大きく且つ前記累積枚数が第２の閾値以下の場合に前記状態として汚れていると判定する、
ことを特徴とする請求項１または請求項２に記載の転写装置。
【請求項４】
温度又は湿度を含む環境条件を検出する環境検出手段を有し、
前記判定手段は、
前記環境検出手段の検出結果に応じて前記第１の閾値又は前記第２の閾値を変更する、
ことを特徴とする請求項２又は請求項３に記載の転写装置。
【請求項５】
前記判定手段における判定結果を報知する報知手段を有する、
ことを特徴とする請求項１から請求項４のいずれか１項に記載の転写装置。
【請求項６】
請求項１から請求項５のいずれか１項に記載の転写装置と、
像担持体に画像を形成する画像形成手段と、
を有し、
前記転写装置は、
前記画像形成手段により前記像担持体に形成した画像を記録材に転写させる、
ことを特徴とする画像形成装置。
【発明の詳細な説明】
【技術分野】
【０００１】
本発明は、転写装置及びこれを備えた画像形成装置に関する。
【背景技術】
【０００２】
複写機、プリンタ又はファクシミリ装置等の電子写真プロセスを利用した画像形成装置は、入力された画像情報に応じたレーザ光を、予め一様に帯電させた像担持体に照射することにより像担持体に静電潜像を形成する。かかる画像形成装置は、現像装置より静電潜像にトナーを供給して像担持体にトナー像を形成し、像担持体に形成されたトナー像を転写装置を使用して記録材に転写させ、記録材を加熱することにより記録材に画像を形成する。
【０００３】
かかる転写装置は、一定のニップ幅を有するように像担持体に当接する転写ローラを有し、転写バイアス電源から転写ローラにトナーの極性とは逆極性の転写電圧が印加されることによって、像担持体上のトナー像をニップ部において記録材に転写させる。この際の転写電圧は、転写バイアス電源の最大出力電圧以下になるように設定されている。
【０００４】
一方、転写ローラは、転写装置を通過する記録材の累積枚数の増加に伴って、徐々に通電劣化して抵抗が上昇する。このため、転写バイアス電源は、転写電流の安定化を目的として転写電圧値が少しずつ増加するように制御される。転写ローラの通電劣化が更に進んで転写電圧が上限値に到達すると転写電流が減少し始め、ついには記録材への転写不足が発生して転写ローラの寿命となり、転写ローラを交換する必要を生じる。
【０００５】
特許文献１は、耐久に伴って上昇する転写ローラの抵抗値と閾値との比較により転写ローラの寿命の判断を行う画像記録装置を開示している。
【先行技術文献】
【特許文献】
【０００６】
【特許文献１】特開２００４−１８４６０１号公報
【発明の概要】
【発明が解決しようとする課題】
【０００７】
しかしながら、特許文献１においては、耐久に伴う転写ローラの抵抗上昇は転写ローラに付着した紙粉によっても発生するため、清掃によってまだ使用可能な転写ローラであっても通電劣化による転写ローラの寿命と判断される。従って、特許文献１においては、転写ローラの状態を正確に判定できないという課題を有する。
【０００８】
本発明の目的は、転写手段の状態を正確に判定することができる転写装置及び画像形成装置を提供することである。
【課題を解決するための手段】
【０００９】
本発明に係る転写装置は、転写バイアスが印加された際に、像担持体に形成された現像剤像をシートに転写させる転写手段と、前記転写手段の抵抗値に関する情報を検出する抵抗値検出手段と、前記抵抗値検出手段の検出結果と前記転写手段の使用量の情報とに基づいて前記転写手段の状態を判定する判定手段と、を有することを特徴とする。
【発明の効果】
【００１０】
本発明によれば、転写手段の状態を正確に判定することができる。
【図面の簡単な説明】
【００１１】
【図１】本発明の実施の形態１に係る画像形成装置の模式図である。
【図２】本発明の実施の形態１に係る転写装置の構成を示すブロック図である。
【図３】本発明の実施の形態１に係る転写装置状態判定処理のフロー図である。
【図４】本発明の実施の形態１に係る転写ローラの抵抗値と通紙枚数との関係を示す図である。
【図５】本発明の実施の形態２に係る転写装置の構成を示すブロック図である。
【発明を実施するための形態】
【００１２】
以下、本発明の実施の形態について図面を参照して詳細に説明する。
【００１３】
（実施の形態１）
＜画像形成装置の構成＞
本発明の実施の形態１に係る画像形成装置１００の構成について、図１を参照しながら、詳細に説明する。
【００１４】
画像形成装置１００は、感光ドラム１と、帯電部２と、露光部３と、現像部４と、転写ローラ５と、分離除電針６と、クリーナー７と、搬送ローラ対８と、を有している。また、画像形成装置１００は、レジストローラ対１０と、排紙ローラ１３と、定着部１４と、給紙ローラ１５と、記録材カセット１７と、を有している。感光ドラム１と、帯電部２と、露光部３と、現像部４と、は画像形成手段としての画像形成部を構成している。また、画像形成装置１００は、図１では図示を省略しているが、転写ローラ５を含む後述する転写装置２００を含んでいる。
【００１５】
像担持体としての感光ドラム１は、表面が帯電部２により均一に帯電される。感光ドラム１には、帯電後に露光部３により露光されて静電潜像が形成される。感光ドラム１には、現像部４からのトナーが静電潜像に付着して現像されることにより現像剤像としてのトナー像が形成される。
【００１６】
帯電部２は、感光ドラム１の表面を均一に帯電させる。
【００１７】
露光部３は、帯電後の感光ドラム１の表面を露光して、感光ドラム１の表面に静電潜像を形成する。
【００１８】
現像部４は、感光ドラム１に形成された静電潜像にトナーを付着させて、感光ドラム１の表面にトナー像を形成する。
【００１９】
転写手段としての転写ローラ５は、感光ドラム１に接触して転写ニップを形成している。転写ローラ５は、転写ニップにおいて感光ドラム１との間で用紙等のシート１６を挟持して、感光ドラム１に形成されたトナー像をシート１６に転写させると共に、トナー像を転写させたシート１６を定着部１４に向けて搬送する。
【００２０】
分離除電針６は、トナー像が転写されたシート１６を感光ドラム１から分離させる。
【００２１】
クリーナー７は、シート１６に転写されずに感光ドラム１に残ったトナーを除去する。
【００２２】
搬送ローラ対８は、給紙ローラ１５により給紙されるシート１６を、レジストローラ対１０に向けて搬送する。
【００２３】
レジストローラ対１０は、感光ドラム１に形成されたトナー像に合わせて回転し、搬送ローラ対８により搬送されるシート１６を転写ニップに向けて搬送する。
【００２４】
排紙ローラ１３は、定着部１４から搬送されてくるシート１６を排紙する。
【００２５】
定着部１４は、定着加圧ローラ１１及び定着フィルム１２を有している。定着部１４は、転写ニップより搬送されてくるシート１６を、定着加圧ローラ１１と定着フィルム１２とにより形成される定着ニップで加熱することにより、シート１６にトナー像を定着させる。定着部１４は、トナー像を定着させたシート１６を排紙ローラ１３に向けて搬送する。
【００２６】
給紙ローラ１５は、回転することにより、記録材カセット１７に収容されているシート１６を搬送ローラ対８に給紙する。
【００２７】
記録材カセット１７は、シート１６を積層して収容している。
【００２８】
＜転写装置の構成＞
本発明の実施の形態１に係る転写装置２００の構成について、図２を参照しながら、詳細に説明する。
【００２９】
転写装置２００は、転写ローラ５と、メモリ２１と、電流計２２と、ＣＰＵ２３と、電圧計２４と、通紙枚数カウンタ２５と、転写バイアス制御部２６と、転写バイアス電源２７と、操作パネル２８と、を有している。メモリ２１と、ＣＰＵ２３と、通紙枚数カウンタ２５と、転写バイアス制御部２６と、はエンジンボード２０１に設けられている。なお、転写ローラ５の構成は説明済みであるので、その説明を省略する。
【００３０】
転写装置２００は、画像形成部により感光ドラム１に形成した画像としてのトナー像をシート１６に転写させる。
【００３１】
メモリ２１は、第１の閾値としての閾値抵抗値、及び第２の閾値としての閾値記録媒体通紙枚数を記憶している。
【００３２】
電流計２２は、転写バイアス電源２７から転写ローラ５に流れる転写電流の転写電流量を検出し、転写電流量の検出結果をＣＰＵ２３の抵抗値検出部２３ａに出力する。
【００３３】
ＣＰＵ２３は、転写装置状態判定処理を実行して転写ローラ５の状態を判定する。なお、転写装置状態判定処理については後述する。
【００３４】
具体的には、ＣＰＵ２３は、抵抗値検出部２３ａと、判定部２３ｂと、を備えている。
【００３５】
抵抗値検出手段としての抵抗値検出部２３ａは、電流計２２から入力する転写電流量の検出結果と、電圧計２４から入力する転写電圧量の検出結果と、に基づいて転写ローラ５の抵抗値を検出し、抵抗値の検出結果を判定部２３ｂに出力する。
【００３６】
判定手段としての判定部２３ｂは、抵抗値検出部２３ａから入力された転写ローラ５の抵抗値に関する情報としての抵抗値の検出結果と、メモリ２１に記憶している閾値抵抗値とを比較する。判定部２３ｂは、通紙枚数カウンタ２５から入力された転写ローラ５の使用量の情報としてのカウント値と、閾値記録媒体通紙枚数と、を比較する。判定部２３ｂは、抵抗値検出部２３ａから入力された抵抗値の検出結果と閾値抵抗値との比較結果と、通紙枚数カウンタ２５から入力するカウント値と閾値記録媒体通紙枚数との比較結果と、に基づいて、転写ローラ５の状態を判定する。ここで、転写ローラ５の状態は、寿命又は紙粉付着等により汚れている状態である。
【００３７】
判定部２３ｂは、転写ローラ５の状態の判定結果に基づいて転写電流量を一定に保つように転写バイアス制御部２６を制御する。判定部２３ｂは、転写ローラ５の状態の判定結果に基づいて、画像形成時以外において転写ローラ５の寿命到達後の対処判断動作を行い、判断結果を操作パネル２８に表示させる。
【００３８】
電圧計２４は、転写バイアス電源２７から転写ローラ５に印加される転写電圧の転写電圧量を検出し、転写電圧量の検出結果をＣＰＵ２３の抵抗値検出部２３ａに出力する。
【００３９】
通紙枚数カウンタ２５は、転写装置２００を通過したシートの累積枚数（通紙枚数）をカウントして、カウント値をＣＰＵ２３の判定部２３ｂに出力する。
【００４０】
転写バイアス制御部２６は、ＣＰＵ２３の判定部２３ｂの制御により、転写バイアス電源２７の出力を変化させる。
【００４１】
転写バイアス電源２７は、転写バイアス制御部２６の制御により転写ローラ５に対して転写バイアスを印加する。
【００４２】
報知手段としての操作パネル２８は、ＣＰＵ２３の判定部２３ｂの制御により、転写ローラ５の寿命の判定結果を表示する。
【００４３】
＜転写装置状態判定処理＞
本発明の実施の形態１に係る転写装置状態判定処理について、図３及び図４を参照しながら、詳細に説明する。
【００４４】
なお、図４において、横軸は通紙枚数（×１０００枚）であり、縦軸は転写ローラ５の抵抗値である。
【００４５】
転写装置状態判定処理は、ユーザーによる画像形成装置１００の図示しないスタートボタンの操作でＪＯＢがスタートすることにより開始される。
【００４６】
まず、ＣＰＵ２３の抵抗値検出部２３ａは、電流計２２から入力する転写電流量の計測結果と、電圧計２４から入力する転写電圧量の計測結果と、に基づいて転写ローラ５の抵抗値Ｒ１を求める（Ｓ１）。
【００４７】
具体的には、抵抗値検出部２３ａは、転写ローラ5の転写電流値Ｉ及び転写電圧値Ｖを用いて、Ｒ１＝Ｖ／Ｉより抵抗値Ｒ１を求める。なお、抵抗値Ｒ１は、常時求めてもよいし、一定枚数毎や一定時間毎に求めてもよい。
【００４８】
次に、ＣＰＵ２３の判定部２３ｂは、メモリ２１に記憶されている閾値抵抗値Ｒ２を参照する（Ｓ２）。ここで、閾値抵抗値Ｒ２は、転写バイアス電源２７の観点から転写ローラ５が使いこなし可能な抵抗の上限値に基づいて設定されている。
【００４９】
次に、判定部２３ｂは、抵抗値Ｒ１が閾値抵抗値Ｒ２より大きいか否かを判定する（Ｒ１＞Ｒ２）（Ｓ３）。
【００５０】
判定部２３ｂは、抵抗値Ｒ１が閾値抵抗値Ｒ２以下（第１の閾値以下）の場合に（Ｓ３：ＮＯ）、抵抗値Ｒ１は図４の範囲１を推移しており、転写ローラ５の状態として寿命に達していないため転写ローラ５を継続して使用可能であると判断する。ＣＰＵ２３は、この場合にはＪＯＢを終了して転写装置状態判定処理を終了する。
【００５１】
一方、判定部２３ｂは、抵抗値Ｒ１が閾値抵抗値Ｒ２より大きい場合に（Ｓ３：ＹＥＳ）、通紙枚数カウンタ２５によりカウントしたカウント値である通紙枚数Ｍ１を参照する（Ｓ４）。
【００５２】
次に、判定部２３ｂは、メモリ２１に記憶されている閾値記録媒体通紙枚数Ｍ２を参照する（Ｓ５）。ここで、閾値記録媒体通紙枚数Ｍ２は、図４に示すように、紙粉量の少ない紙種を用いた際の閾値抵抗値Ｒ２到達時の枚数に基づいて設定されている。
【００５３】
次に、判定部２３ｂは、通紙枚数Ｍ１が閾値記録媒体通紙枚数Ｍ２より大きいか否かを判定する（Ｓ６）。
【００５４】
判定部２３ｂは、通紙枚数Ｍ１が閾値記録媒体通紙枚数Ｍ２より大きい場合に（Ｓ６：ＹＥＳ）、抵抗値Ｒ１及び通紙枚数Ｍ１は図４の範囲２を推移しており、転写ローラ５の抵抗値の上昇の主要因は通電劣化であると判断する。判定部２３ｂは、この場合には対処判断動作を行って転写ローラ５の状態として寿命であると判断し、転写ローラ５の交換を操作パネル２８に表示させ（Ｓ７）、転写ローラ５の交換を促す。
【００５５】
次に、ＣＰＵ２３は、通紙枚数カウンタ２５によりカウントしたカウント値をリセットし（Ｓ８）、ＪＯＢを終了することにより転写装置状態判定処理を終了する。
【００５６】
一方、判定部２３ｂは、通紙枚数Ｍ１が閾値記録媒体通紙枚数Ｍ２以下（第２の閾値以下）の場合に（Ｓ６：ＮＯ）、抵抗値Ｒ１及び通紙枚数Ｍ１は図４の範囲３を推移しており、転写ローラ５の抵抗値の上昇の主要因は紙粉付着であると判断する。判定部２３ｂは、この場合には対処判断動作を行って転写ローラ５の状態として汚れている状態であると判断し、転写ローラ５の清掃を操作パネル２８に表示させ（Ｓ９）、転写ローラ５の清掃を促し、ＪＯＢを終了することにより転写装置状態判定処理を終了する。
【００５７】
なお、判定部２３ｂは、転写装置状態判定処理後に転写ローラ５の清掃が実施された後に再び転写装置状態判定処理を行い、転写ローラ５が使用可能な範囲に復帰したことを確認するようにしてもよい。判定部２３ｂは、再び転写装置状態判定処理を行う場合において、転写ローラ５が使用可能な範囲に復帰していないときには、転写ローラ５の交換を促すようにしてもよい。
【００５８】
このように、通電劣化による閾値抵抗値Ｒ２到達時には、従来及び本実施の形態の両方において転写ローラ５の交換を適切に判断することができる。
【００５９】
一方、紙粉付着による抵抗値Ｒ１の閾値抵抗値Ｒ２到達時又は通電劣化と紙粉付着とが組み合わさったことによる抵抗値Ｒ１の閾値抵抗値Ｒ２到達時には、従来において通電劣化による抵抗上昇と判断し転写ローラ５の交換を実施していた。これに対して、本実施の形態では、抵抗値Ｒ１の閾値抵抗値Ｒ２到達時に、通電劣化による抵抗値の上昇と紙粉付着による抵抗値の上昇とを区別できる。従って、本実施の形態では、紙粉付着による抵抗値Ｒ１の閾値抵抗値Ｒ２到達時又は通電劣化と紙粉付着とが組み合わさったことによる抵抗値Ｒ１の閾値抵抗値Ｒ２到達時に、転写ローラ５の交換又は清掃を適切に判断することができる。
【００６０】
このように、本実施の形態によれば、転写ローラ５の抵抗値と通紙枚数とに基づいて転写ローラ５の状態を判定することにより、転写ローラ５の状態を正確に判定することができる。
【００６１】
また、本実施の形態では、転写ローラ５の抵抗値Ｒ１が閾値抵抗値Ｒ２より大きく且つ通紙枚数Ｍ１が閾値記録媒体通紙枚数Ｍ２より大きい場合に転写ローラ５の寿命と判定する。これにより、転写ローラ５の寿命を正確に判定することができ、転写ローラ５の不要な交換を防ぐことができる。
【００６２】
また、本実施の形態では、転写ローラ５の抵抗値Ｒ１が閾値抵抗値Ｒ２より大きく且つ通紙枚数Ｍ１が閾値記録媒体通紙枚数Ｍ２以下の場合に転写ローラ５の汚れと判定する。これにより、転写ローラ５の汚れた状態を正確に判定することができ、転写ローラ５の清掃を適切に行うことができる。
【００６３】
また、本実施の形態によれば、転写ローラ５の状態の判定結果を報知することにより、ユーザーに対して適切なタイミングで転写ローラ５の交換又は清掃を促すことができる。
【００６４】
（実施の形態２）
本発明の実施の形態２に係る画像形成装置の構成は図１と同一構成であるので、その説明を省略する。
【００６５】
＜転写装置の構成＞
本発明の実施の形態２に係る転写装置３００の構成について、図５を参照しながら、詳細に説明する。
【００６６】
なお、図５において、図２と同一構成である部分については同一符号を付して、その説明を省略する。
【００６７】
転写装置３００は、転写ローラ５と、メモリ２１と、電流計２２と、電圧計２４と、通紙枚数カウンタ２５と、転写バイアス制御部２６と、転写バイアス電源２７と、操作パネル２８と、環境検出部３２１と、ＣＰＵ３２３と、を有している。メモリ２１と、通紙枚数カウンタ２５と、転写バイアス制御部２６と、ＣＰＵ３２３と、はエンジンボード３０１に設けられている。
【００６８】
転写装置３００は、画像形成部により感光ドラム１に形成した画像としてのトナー像をシート１６に転写させる。
【００６９】
メモリ２１は、閾値抵抗値と温度若しくは湿度とを対応付けたテーブル、及び閾値記録媒体通紙枚数と温度若しくは湿度とを対応付けたテーブルを記憶している。
【００７０】
電流計２２は、転写バイアス電源２７から転写ローラ５に流れる転写電流の転写電流量を検出し、転写電流量の検出結果をＣＰＵ３２３の抵抗値検出部３２３ａに出力する。
【００７１】
ＣＰＵ３２３は、転写装置状態判定処理を実行して転写ローラ５の状態を判定する。具体的には、ＣＰＵ３２３は、抵抗値検出部３２３ａと、判定部３２３ｂと、を備えている。
【００７２】
抵抗値検出部３２３ａは、電流計２２から入力する転写電流量の検出結果と、電圧計２４から入力する転写電圧量の検出結果と、に基づいて転写ローラ５の抵抗値を検出し、抵抗値の検出結果を判定部３２３ｂに出力する。
【００７３】
判定部３２３ｂは、メモリ２１に記憶しているテーブルにおいて、環境検出部３２１から入力する温度又は湿度の検出結果に対応付けられている閾値抵抗値及び閾値記録媒体通紙枚数を選択する。判定部３２３ｂは、抵抗値検出部３２３ａから入力された抵抗値の検出結果と選択した閾値抵抗値との比較結果と、通紙枚数カウンタ２５から入力するカウント値と選択した閾値記録媒体通紙枚数との比較結果と、に基づいて、転写ローラ５の状態を判定する。判定部３２３ｂにおける上記以外の構成は判定部２３ｂの構成と同一構成であるので、その説明を省略する。
【００７４】
電圧計２４は、転写バイアス電源２７から転写ローラ５に印加される転写電圧の転写電圧量を検出し、転写電圧量の検出結果をＣＰＵ３２３の抵抗値検出部３２３ａに出力する。
【００７５】
通紙枚数カウンタ２５は、通紙枚数をカウントして、通紙枚数のカウント値をＣＰＵ３２３の判定部３２３ｂに出力する。
【００７６】
転写バイアス制御部２６は、ＣＰＵ３２３の判定部３２３ｂの制御により、転写バイアス電源２７の出力を変化させる。
【００７７】
操作パネル２８は、ＣＰＵ３２３の判定部３２３ｂの制御により、転写ローラ５の寿命の判定結果を表示する。
【００７８】
環境検出手段としての環境検出部３２１は、温度又は湿度を含む環境条件を検出して、検出結果をＣＰＵ３２３の判定部３２３ｂに出力する。
【００７９】
このように、本実施の形態によれば、上記実施の形態１の効果に加えて、温度又は湿度に応じて閾値抵抗値又は閾値記録媒体通紙枚数を変更することにより、環境変化に関わらず転写ローラ５の状態を正確に判定することができる。
【００８０】
なお、発明の実施形態を具体的に説明したが、本発明は上記実施の形態に限定されるものではなく、その要旨を逸脱しない範囲で種々変形可能であることは言うまでもない。
【００８１】
具体的には、上記実施の形態１及び実施の形態２において、転写ローラ５の状態を判定する際に、転写ローラ５の抵抗値を用いたが、転写ローラ５に所定の電圧を印可した際の転写ローラ５の抵抗値に関する情報としての電流値を用いてもよい。または、転写ローラ５に所定の電流を流した際の転写ローラ５の抵抗値に関する情報としての電圧値を用いてもよい。
【００８２】
また、上記実施の形態１及び実施の形態２において、転写ローラ５の状態を判定する際に、転写装置２００を通過したシートの累積枚数のカウント値を用いたが、転写ローラ５の使用量の情報としての累積の像形成時間のカウント値を用いてもよい。
【００８３】
また、上記実施の形態１及び実施の形態２において、転写ローラ５の状態の判定結果を操作パネル２８に表示して報知したが、音、音声又は光等により転写ローラ５の状態の判定結果を報知してもよい。
【符号の説明】
【００８４】
１  感光ドラム
２  帯電部
３  露光部
４  現像部
５  転写ローラ
６  分離除電針
７  クリーナー
８  搬送ローラ対
１０  レジストローラ対
１１  定着加圧ローラ
１２  定着フィルム
１３  排出ローラ
１４  定着部
１５  給紙ローラ
１６  記録材
１７  記録材カセット
２１  メモリ
２２  電流計
２３  ＣＰＵ
２３ａ  抵抗値検出部
２３ｂ  判定部
２４  電圧計
２５  通紙枚数カウンタ
２６  転写バイアス制御部
２７  転写バイアス電源
２８  操作パネル
１００  画像形成装置
２００  転写装置
２０１  エンジンボード
３００  転写装置
３０１  エンジンボード
３２１  環境検出部
３２３  ＣＰＵ
３２３ａ  抵抗値検出部
３２３ｂ  判定部
【図１】
2019015897.tif 000003
【図２】
2019015897.tif 000004
【図３】
2019015897.tif 000005
【図４】
2019015897.tif 000006
【図５】
2019015897.tif 000007